(57)【要約】【課題】頻繁に使用する機能の起動を容易に行うことを可能とする。【解決手段】ＣＰＵ１１は受付部１１ａとしては、ユーザによりなされる自動起動の対象機能の指定を受け付ける。ＣＰＵ１１は管理部１１ｂとしては、ユーザにより指定された自動起動の対象機能を管理しておく。ＣＰＵ１１は起動部１１ｃとしては、開閉センサ１０での検出結果に基づいて折り畳み状態から展開状態に変化したことが判定されたことに応じて、自動起動の対象機能とされている機能を自動的に起動する。【選択図】　　図１
2004112040.tif 000002
【特許請求の範囲】
【請求項１】
複数の機能を選択的に使用することが可能であるとともに、第１状態および受け付けるユーザ操作を前記第１状態よりも制限する第２状態をとることが可能な移動通信端末において、
前記複数の機能のうちのいずれを自動起動の対象機能とするかのユーザ指定を受け付ける受付手段と、
この受付手段により受け付けたユーザ指示に基づいて定まる自動起動の対象機能がいずれの機能であるかを管理する管理手段と、
前記第１状態および前記第２状態のいずれにあるかを判定する判定手段と、
この判定手段による判定結果が前記第２状態から前記第１状態へと変化したことに応じて、前記管理手段により自動起動の対象機能として管理されている機能を起動する起動手段とを具備した移動通信端末。
【請求項２】
前記受付手段を、自動起動を行うか否かのユーザ指定を受け付けるものとし、
前記管理手段を、前記受付手段により受け付けたユーザ指示に基づいて定まる自動起動を行うか否かの設定を管理するものとし、
かつ前記起動手段を、前記管理手段により自動起動を行う設定であることが管理されている場合にのみ前記管理手段により自動起動の対象機能として管理されている機能を起動するものとした請求項１に記載の移動通信端末。
【請求項３】
折り畳みタイプの筐体を有し、かつ前記判定手段は、前記筐体が展開された状態を前記第１状態として、また前記筐体が折り畳まれた状態を前記第２状態としてそれぞれ判定する請求項１に記載の移動通信端末。
【発明の詳細な説明】
【０００１】
【発明の属する技術分野】
本発明、例えば折り畳みタイプなどのように、主としてユーザ操作を受け付ける状態と、他の状態とで別々の状態をなす移動通信端末に関する。
【０００２】
【従来の技術】
移動通信端末は、音声通話機能およびメール機能などのような複数の機能を選択的に使用することが可能である。これらの機能は、ユーザ操作に応じて起動される。
【０００３】
一方、上述の種類の移動通信端末は、各種の機能を使用するためにユーザが操作を行うときには、展開状態などのような操作状態とされる。しかしながらポケットやカバンに収納しておくときなどには、折り畳み状態などのような不操作状態とされる。
【０００４】
従って、ユーザは不操作状態にあるときにある機能を使用する場合には、移動通信端末を操作状態に変化させた上で、キー操作を行って所望とする機能の起動を指示することとなっている。
【０００５】
なお、折り畳み状態から展開状態へと変更されたことに応じて、所定の相手先電話番号へと自動的に発呼を行うものが知られている（特許文献１を参照）。
【０００６】
【特許文献１】
特開２００２−９９２７号公報
【０００７】
【発明が解決しようとする課題】
ところで、ユーザによっては頻繁に使用する機能が決まっている場合がある。このような場合には、ユーザは毎回同様な操作を繰り返す必要があり、使い勝手が悪くなってしまう恐れがあった。
【０００８】
本発明はこのような事情を考慮してなされたものであり、頻繁に使用する機能の起動を容易に行うことを可能とする移動通信端末を提供することにある。
【０００９】
【課題を解決するための手段】
以上の目的を達成するために本発明は、複数の機能を選択的に使用することが可能であるとともに、第１状態および受け付けるユーザ操作を前記第１状態よりも制限する第２状態をとることが可能な移動通信端末において、前記複数の機能のうちのいずれを自動起動の対象機能とするかのユーザ指定を受付手段により受け付け、このユーザ指示に基づいて定まる自動起動の対象機能がいずれの機能であるかを管理手段により管理しておく。そして、判定手段により前記第２状態から前記第１状態へと変化したことが判定されたことに応じて、前記管理手段により自動起動の対象機能として管理されている機能を起動手段が起動することとした。
【００１０】
このような手段を講じたことにより、ユーザが操作を行うべく第１状態から第２状態へと変更したことに伴って、予めユーザにより指定された機能が自動的に起動される。従って、ユーザは予め指定した機能を第１状態から第２状態へと変更するだけで使用可能となる。
【００１１】
【発明の実施の形態】
以下、図面を参照して本発明の一実施形態につき説明する。
【００１２】
図１は本実施形態に係る移動通信端末のブロック図である。
【００１３】
図１に示すように本実施形態の移動通信端末は、アンテナ１、無線部２、ＣＤＭＡ処理部３、圧縮伸長部４、ＰＣＭ処理部５、通話部６、入力部７、表示部８、記憶部９、開閉センサ１０およびＣＰＵ１１を有している。無線部２は、デュプレクサ（ＤＵＰ）２ａ、受信回路（ＲＸ）２ｂ、周波数シンセサイザ（ＳＹＮ）２ｃおよび送信回路（ＴＸ）２ｄを有する。通話部６は、レシーバアンプ６ａ、レシーバ６ｂ、マイクロホン６ｃおよび送話アンプ６ｄを有する。
【００１４】
図示しない基地局から送信された無線信号は、アンテナ１で受信されたのち無線部２に入力される。無線部２では、上記無線信号はデュプレクサ２ａを介して受信回路２ｂに入力される。無線信号は、周波数シンセサイザ２ｃから出力された受信局部発振信号と受信回路２ｂにおいてミキシングされることで中間周波信号に周波数変換される。なお、上記周波数シンセサイザ２ｃから発生される受信局部発振信号の周波数は、ＣＰＵ１１から出力される制御信号によって設定される。
【００１５】
上記中間周波信号は、ＣＤＭＡ処理部３に入力される。ＣＤＭＡ処理部３は、受信チャネルに割り当てられた拡散符号により上記中間周波信号を逆拡散処理する。続いてＣＤＭＡ処理部３は、例えばＱＰＳＫ（Ｑｕａｄｒａｔｕｒｅ　Ｐｈａｓｅ　Ｓｈｉｆｔ　Ｋｅｙｉｎｇ）変調方式に対応する直交復調を行い、これにより所定のフォーマットの復調データに変換する。そしてＣＤＭＡ処理部３は、この復調データを圧縮伸長部４に与える。
【００１６】
圧縮伸長部４は、ＣＤＭＡ処理部３から出力された復調データに多重されている各種のメディアのデータを分離する。圧縮伸長部４は、この分離した各データに対し、それぞれのメディアに応じた方式での復号処理を施す。例えばオーディオデータに対して圧縮伸長部４は、例えばＱＣＥＬＰ方式またはＥＶＲＣ方式に準じた音声復号処理を施す。この音声復号処理がなされたのちのオーディオデータは、ＰＣＭ処理部５へと与えられる。ビデオデータに対して圧縮伸長部４は、例えばＭＰＥＧ４方式に準じた映像復号処理を施す。この映像復号処理により得られるビデオデータは、ＣＰＵ１１へと与えられる。メールデータ、ＨＴＭＬ（ＨｙｐｅｒＴｅｘｔ　Ｍａｒｋｕｐ　Ｌａｎｇｕａｇｅ）データを中心としたＷｅｂデータ、あるいは移動通信網から送られてくる各種の制御データは、圧縮伸長部４からＣＰＵ１１へと与えられる。
【００１７】
ＰＣＭ処理部５は、圧縮伸長部４から与えられたオーディオデータをＰＣＭ復号してアナログの音声信号を得る。この音声信号は、レシーバアンプ６ａで増幅されたのち、レシーバ６ｂより音声として出力される。
【００１８】
話者が発した音声は、マイクロホン６ｃにより音声信号に変換される。この音声信号は、送話アンプ６ｄに入力される。音声信号は、送話アンプ６ｄにより適正レベルまで増幅されたのち、ＰＣＭ処理部５へと与えられる。
【００１９】
ＰＣＭ処理部５は、上記音声信号に対してＰＣＭ符号化処理を施し、ディジタルのオーディオデータを得る。ＰＣＭ処理部５は、このオーディオデータを圧縮伸長部４に与える。
【００２０】
なお、ＣＰＵ１１にて作成されるメールデータおよび制御データなども圧縮伸長部４に与えられる。
【００２１】
圧縮伸長部４は、オーディオデータより入力音声のエネルギー量を検出し、この検出結果に基づいて送信データレートを決定する。そして圧縮伸長部４は、上記オーディオデータを上記送信データレートに応じたフォーマットの信号に符号化する。圧縮伸長部４は、上記符号化がなされたのちのオーディオデータ、上記メールデータ、あるいは制御データなどの各種データを所定の伝送フォーマットに従って多重化して送信データを形成する。圧縮伸長部４は、上記の送信データをＣＤＭＡ処理部３へと与える。
【００２２】
ＣＤＭＡ処理部３は、圧縮伸長部４から与えられる送信データにより搬送波信号を変調する。この変調には、例えばＱＰＳＫが用いられる。ＣＤＭＡ処理部３は、変調された搬送波信号に対して、送信チャネルごとに割り当てられたＰＮ符号を用いてスペクトラム拡散処理を施し、これにより送信信号を得る。そしてＣＤＭＡ処理部３は、上記送信信号を無線部２の送信回路２ｄへと与える。
【００２３】
送信回路２ｄは、上記送信信号を、周波数シンセサイザ２ｃから発生される送信局部発振信号と合成することで無線周波信号に変換する。そして、送信回路２ｄは、ＣＰＵ１１により通知される送信データレートに基づいて、上記無線周波信号の有効部分だけを高周波増幅した上で出力する。この送信回路２ｄから出力された無線周波信号は、デュプレクサ２ａを介してアンテナ１に供給され、このアンテナ１から接続中の基地局へ向けて送信される。
【００２４】
入力部７には、ダイヤルキー、発信キー、電源キー、終了キー、音量調節キー、モード指定キーなどを含むキー群が設けられている。入力部７は、これらのキーの押下によるユーザ指示を入力する。また表示部８には、ＬＣＤ（ｌｉｑｕｉｄ　ｃｒｙｓｔａｌ　ｄｉｓｐｌａｙ）およびＬＥＤ（ｌｉｇｈｔ　ｅｍｉｔｔｉｎｇ　ｄｉｏｄｅ）等が設けられている。表示部８は、これらＬＣＤおよびＬＥＤを用いて、通信相手の端末の電話番号および例えば着信状態などのような自端末の動作状態をはじめ、ＷＥＢサイトからのダウンロード情報、送受信メール、動画像、図示しないバッテリのＤｉｓｃｈａｒｇｅ状態等を表示する。
【００２５】
記憶部９は、例えばＲＯＭ、ＤＲＡＭ（ｄｙｎａｍｉｃ　ＲＡＭ）、ＳＲＡＭ（ｓｔａｔｉｃ　ＲＡＭ）、あるいはフラッシュメモリなどを適宜用いてなる。この記憶部９は、ＣＰＵ１１用の動作プログラムを記憶する。また記憶部９は、各種の設定情報や各種の受信データ、あるいは本装置で作成された各種のデータなど、さまざまなデータを記憶する。記憶部９の記憶領域の一部は、報知情報のためのキャッシュとして使用される。
【００２６】
この移動通信端末の筐体は折り畳みタイプをなしていて、展開状態および折り畳み状態の２状態をとることが可能である。筐体が折り畳み状態にあるときには、入力部７に含まれるキーの多くが筐体により覆われることで、展開状態にあるときよりもユーザ操作が制限される状態となる。開閉センサ１０は、上記筐体が上記２状態のいずれの状態をなしているかを検出する。開閉センサ１０は、上記の検出の結果を示す検出信号をＣＰＵ１１へと与える。
【００２７】
ＣＰＵ１１は、記憶部９に記憶されている動作プログラムに基づくソフトウェア処理により各部の制御処理を行うことで、移動通信端末における周知の各種の機能を実現する。この周知の機能とは、例えば音声通話、電話帳、電子メールの送受信、ＷＷＷ（Ｗｏｒｌｄ　Ｗｉｄｅ　Ｗｅｂ）へのアクセス、ディジタルカメラ、あるいはＧＰＳ（Ｇｌｏｂａｌ　Ｐｏｓｉｔｉｏｎｉｎｇ　Ｓｙｓｔｅｍ）ナビゲーションなどである。またＣＰＵ１１は、上記動作プログラムに基づくソフトウェア処理により、受付部１１ａ、管理部１１ｂおよび起動部１１ｃとして動作する。
【００２８】
受付部１１ａは、自動起動の対象とする機能とする機能のユーザ指定および自動起動のＯＮ／ＯＦＦのユーザ指定を受け付ける。管理部１１ｂは、自動起動の対象機能がいずれであるかを、その機能を示す情報を記憶部９に記憶させて管理する。また管理部１１ｂは、自動機能のＯＮ／ＯＦＦの設定を管理する。そして起動部１１ｃは、自動起動がＯＮ設定されているときに、筐体が折り畳み状態から展開状態へと変化されたことに応じて自動起動機能を自動起動する。
【００２９】
次に以上のように構成された移動通信端末の動作につき説明する。なお、音声通話、電話帳、電子メールの送受信、ＷＷＷへのアクセス、ディジタルカメラ、あるいはＧＰＳナビゲーションなどの機能を実現するための動作については既に知られた動作であるのでその説明は省略する。そしてここでは、機能の自動起動に関する動作につき詳しく説明する。
【００３０】
まず、ユーザにより入力部７での操作により機能設定の実行が要求されたならば、ＣＰＵ１１は図２に示すような機能設定処理を実行する。
【００３１】
ＣＰＵ１１はまずステップＳＴ１において、機能設定メニューを表示部８に表示させた上で、その機能設定メニュー内での項目の指定を受け付ける。なお機能設定メニューは、ユーザ設定が可能な機能を選択項目として示したメニューである。そこで項目指定がなされたならばＣＰＵ１１はステップＳＴ２において、指定された項目が「自動起動」であるか否かを確認する。
【００３２】
ここで「自動起動」以外の項目が指定されたことを確認したならば、ＣＰＵ１１は指定された項目に応じた処理に移行する。しかしながら、指定された項目が「自動起動」であることを確認したならば、ＣＰＵ１１はステップＳＴ３において、ＯＮ／ＯＦＦメニューを表示部８に表示させた上で、そのＯＮ／ＯＦＦメニュー内での項目の指定を受け付ける。なおＯＮ／ＯＦＦメニューは、自動起動をＯＮおよびＯＦＦのいずれとするかの指定を行わせるメニューである。そこで項目指定がなされたならばＣＰＵ１１はステップＳＴ４において、指定された項目が「ＯＮ」であるか否かを確認する。
【００３３】
ここで指定された項目が「ＯＮ」であることを確認したならば、ＣＰＵ１１はステップＳＴ５において、自動起動をＯＮに設定する。この上でＣＰＵ１１はステップＳＴ６において、機能選択メニューを表示部８に表示させた上で、その機能選択メニュー内での項目の指定を受け付ける。なお機能選択メニューは、自動起動の対象として設定可能な機能を選択項目として示したメニューである。具体的には、「電話帳」「メール」「インターネット」「カメラ」「ＧＰＳ」などの選択項目を含む。そこで項目指定がなされたならばＣＰＵ１１はステップＳＴ７において、指定された項目に対応する機能を自動起動の対象機能として登録する。この登録は例えば、指定された項目に対応する機能を識別するための情報を記憶部９の所定エリアに書き込むことで行われる。そしてこの登録を終えたらＣＰＵ１１は、機能設定処理を終了する。
【００３４】
一方、指定された項目が「ＯＦＦ」であることをステップＳＴ４にて確認したならば、ＣＰＵ１１はステップＳＴ８において、自動起動をＯＦＦに設定する。そしてＣＰＵ１１は、機能設定処理を終了する。
【００３５】
さて、自動起動は、筐体が折り畳み状態から展開状態に変更されたことに応じて自動機能の対象機能とされた機能を自動的に起動するものである。この自動起動を実現するためにＣＰＵ１１は、折り畳み状態にあることが開閉センサ１０により検出されている状態にあるときに、図３に示すような自動起動処理を実行する。なおＣＰＵ１１は、上記の状態にあるときに、所定の時間間隔毎などの所定タイミング毎に自動起動処理を繰り返し実行する。
【００３６】
ＣＰＵ１１はまずステップＳＴ１１において、開閉センサ１０が出力する検出信号を取得する。そしてＣＰＵ１１はステップＳＴ１２において、筐体の状態を上記の取得した検出信号に基づいて判断する。
【００３７】
筐体が展開状態にあることを確認したならば、ＣＰＵ１１はステップＳＴ１３において、自動起動がＯＮ設定されているか否かを確認する。ここで自動起動がＯＮ設定されていることを確認したならば、ＣＰＵ１１はステップＳＴ１４において、自動起動の対象機能となっているのがいずれの機能であるかを記憶部９に記憶してある情報に基づいて判定する。そしてＣＰＵ１１はステップＳＴ１５において、上記の判定した機能を起動する。この上でＣＰＵ１１は、自動起動処理を終了する。
【００３８】
なお、筐体が折り畳み状態のままであることをステップＳＴ１２にて確認した場合、あるいは自動起動がＯＦＦ設定されていることをステップＳＴ１３にて確認した場合には、自動起動を行う必要がないから、ＣＰＵ１１はそのまま自動起動処理を終了する。
【００３９】
以上のように本実施形態によれば、筐体が折り畳み状態から展開状態へと変化した際に自動起動の対象機能として登録されている機能が自動的に起動される。従って、ユーザが、自分が頻繁に使用する機能を自動起動の対象機能として指定しておくことで、その機能を筐体を折り畳み状態から展開状態へと変化させるだけで起動させることができる。これにより、ユーザは機能を起動させるための操作を行うことなしに所望機能の使用を開始することが可能となり、使い勝手が大幅に向上する。
【００４０】
また本実施形態によれば、自動起動がＯＦＦ設定されている場合には、筐体が折り畳み状態から展開状態へと変化しても機能の自動起動は行われない。従って、複数の機能の使用頻度にあまり差が無いような使用形態のユーザは、自動機能をＯＦＦに設定しておくことで、自動起動された機能を終了させた上で他の機能を起動させるという手間のかかる操作を行わなければならなくなることを回避することが可能である。
【００４１】
なお、本発明は上記実施形態に限定されるものではない。例えば、第１状態および受け付けるユーザ操作を第１状態よりも制限する第２状態をとることができるものであれば、例えばフリップタイプなどのような他のタイプの移動通信端末にも本発明の適用が可能である。
【００４２】
このほか、本発明の要旨を逸脱しない範囲で種々の変形実施が可能である。
【００４３】
【発明の効果】
本発明は、ユーザが操作を行うべく第１状態から第２状態へと変更したことに応じて、予めユーザにより指定された機能を自動的に起動することとしたので、ユーザは予め指定した機能を第１状態から第２状態へと変更するだけで使用可能となり、頻繁に使用する機能の起動を容易に行うことが可能となる。
【図面の簡単な説明】
【図１】本発明の一実施形態に係る移動通信端末のブロック図。
【図２】機能設定処理のフローチャート。
【図３】自動起動処理のフローチャート。
【符号の説明】
１…アンテナ
２…無線部
３…ＣＤＭＡ処理部
４…圧縮伸長部
５…ＰＣＭ処理部
６…通話部
７…入力部
８…表示部
９…記憶部
１０…開閉センサ
１１…ＣＰＵ
１１ａ…受付部
１１ｂ…管理部
１１ｃ…起動部
【図１】
2004112040.tif 000003
【図２】
2004112040.tif 000004
【図３】
2004112040.tif 000005